(57)【要約】  本発明は、簡素な構成でありながら、コリメートレンズの調整を精度良く容易に行える光ピックアップ装置を提供する。  ハウジング１の開口１ａが、コリメートレンズ３の光軸と対物レンズ１０の光軸との関係を維持しつつ、ホルダ２をコリメートレンズ３の光軸方向に所定範囲内で移動可能にガイドするようになっているので、開口１ａにガイドされつつホルダ２を所定範囲内で移動させ、最も球面収差の少ない位置で固着すれば、コリメートレンズ３の光軸と対物レンズ１０の光軸との関係は維持されていることから、高精度な調整を容易に行うことができる。
2009011203.tif 000002
【特許請求の範囲】
【請求項１】
光源と、前記光源からの出射光を反射させる立上げミラーと、対物光学素子を含む集光光学系からなる光ピックアップ装置であって、
前記立上げミラーと前記対物光学素子との間に配置されたコリメートレンズを含む光学素子ユニットと、
少なくとも組付時に、前記光学素子ユニットを前記コリメートレンズの光軸方向に所定範囲内で移動可能にガイドするガイド部を備えたハウジングと、を有し、
前記光学素子ユニットは、前記所定範囲内の所定位置で前記ハウジングに固着されていることを特徴とする光ピックアップ装置。
【請求項２】
前記光学素子ユニットは、前記コリメートレンズを保持するホルダを含むことを特徴とする請求の範囲第１項に記載の光ピックアップ装置。
【請求項３】
前記ハウジングは、前記光学素子ユニットの移動範囲の光源から光が入射する側の末端で前記光学素子ユニットに当接する当接部を有することを特徴とする請求の範囲第１項又は第２項に記載の光ピックアップ装置。
【請求項４】
前記当接部は環状であることを特徴とする請求の範囲第３項に記載の光ピックアップ装置。
【請求項５】
前記当接部は突起であることを特徴とする請求の範囲第３項に記載の光ピックアップ装置。
【請求項６】
前記ガイド部により前記対物光学素子ユニットがガイドされた状態で、前記ハウジングに対し、前記コリメートレンズの光軸直交方向の位置決めがなされることを特徴とする請求の範囲第１項乃至第５項のいずれかに記載の光ピックアップ装置。
【請求項７】
前記コリメートレンズを前記所定範囲の末端から前記所定位置まで移動させたとき、前記対物レンズにより光ディスクの情報記録面に形成される集光スポットの３次球面収差成分の変化量は、０．０２〜０．０７λｒｍｓであることを特徴とする請求の範囲第１項乃至第６項のいずれかに記載の光ピックアップ装置。
【請求項８】
前記ガイド部は円筒面を含むことを特徴とする請求の範囲第１項乃至第７項のいずれかに記載の光ピックアップ装置。
【発明の詳細な説明】
【技術分野】
【０００１】
本発明は、光ピックアップ装置に関し、特に、光ディスクに対して情報の記録及び／又は再生を行うことができ、コンパクトな構成を有する光ピックアップ装置に関する。
【背景技術】
【０００２】
ＣＤやＤＶＤに代表される光ディスクに対して、情報の記録及び／又は再生を行える光ピックアップ装置が開発されている。また、波長４００ｎｍ程度の青紫色半導体レーザを用いて、Ｂｌｕ−ｒａｙ  ＤｉｓｃやＨＤ  ＤＶＤなどの高密度光ディスクに情報の記録及び／又は再生を行える光ピックアップ装置の開発も急速に進んでいる。
【特許文献１】特開平０９−４４８９１号公報
【特許文献２】特開２００５−１４９６０７号公報
【発明の開示】
【発明が解決しようとする課題】
【０００３】
ところで、高密度光ディスクに対して情報の記録及び／又は再生を行う場合、４００ｎｍ前後の光束を出射する半導体レーザを用いることが多いが、上市されている半導体レーザは、出射光束の波長が基準波長に対して大きくばらつくという問題がある。出射光束の波長が基準波長に対して大きくシフトすると、集光スポットに球面収差が発生し、波長のばらつきに相応して光ピックアップ装置個々で記録／再生性能がばらつき、これが問題となる恐れがある。また、光ピックアップ装置の集光光学系を構成する光学素子、特に対物レンズについては、製造誤差に起因する球面収差を生じやすく、これが記録／再生性能を劣化させる要因となる場合がある。このような球面収差を補正する一つの方法として、組立時に半導体レーザを集光光学系の光軸方向に位置調整することも考えられる。【０００４】
しかしながら、半導体レーザを光軸方向に動かすと、光検出器上における光ディスクからの反射光の光軸方向の集光位置もずれてしまう。このずれを、光ディスク反射光を光検出器に集光するサーボレンズの位置を調整して修正することもできるが、それにより光ディスクから光検出器に至る光学系の倍率が変わってしまうという問題がある。【０００５】
一方、光検出器自体を光軸方向に調整して修正することもできるが、光検出器は光軸直交方向の位置調整も必要なことから、光ピックアップ本体に対して接着材のみによって保持しなくてはならず、その結果、前述の球面収差のばらつきに相応して光ピックアップ本体と光検出器との距離にばらつきが生じ、温度等の環境変化に対する光検出器の位置の安定性について、光ピックアップ個々で差が生じるという問題がある。【０００６】
また、光ピックアップ装置全体での球面収差の補正は、実際に光ディスクの情報記録面で反射した光束を、対物レンズを含む集光光学系を介して光検出器で受光して、その信号を利用して行うことが好ましいが、半導体レーザの光軸方向の調整を行う場合、光軸直交方向の動きも光検出器上の光スポットの動きとなるため、信号が安定せず調整が困難となる問題がある。【０００７】
これに対し、例えば光ピックアップ装置の組立時に、コリメートレンズを光軸方向位置を調整して対物レンズに入射させる光束の発散度を変更することにより、光ディスクの情報記録面における球面収差の量を許容範囲に収めることも考えられる。【０００８】
ここで、コリメートレンズを光ピックアップ装置に設ける場合、コリメートレンズの焦点距離が長い方が、半導体レーザとコリメートレンズとの位置関係における誤差感度上有利であり、コリメートレンズを対物レンズと立上げミラーの間に配置すれば、長焦点距離のコリメートレンズを用いながらコンパクトなレイアウトが可能となる。光ディスクの情報記録面に直交する方向における寸法の許容度が比較的大きな光ピックアップ装置では、このようなレイアウトを選ぶ場合が多い（特許文献１参照）。【０００９】
また、このようなレイアウトでは、半導体レーザからの光束が光ディスクへ向かう系（往路）と、光ディスクからの反射光が光検出器へ向かう系（復路）との共通光路中にコリメートレンズを設けるので、球面収差の補正のためにコリメートレンズを光軸方向に動かしても、光検出器を光軸方向に動かして修正する必要がないので、前述した半導体レーザを動かしたときの問題を回避できるメリットがある。【００１０】
かかる場合、どのようにしてコリメートレンズの位置調整を行うかという問題がある。これに対し、特許文献２には、レンズホルダによって保持されたコリメートレンズを光軸方向に調整可能な構成が開示されている。しかしながら、特許文献２のレンズホルダは、一体的に形成されたばね片によって支持されているので、レンズホルダの形状が複雑でありコスト的に不利であることの他、ばね部の光軸方向の長さが短いため、レンズホルダをひっかかり無くスムーズに動かすことが難しく、よってコリメートレンズと半導体レーザ、対物レンズとの位置関係を精度良く維持しつつ、コリメートレンズを光軸方向に高精度に調整するのが難しいという問題がある。【００１１】
本発明は、かかる問題点に鑑みて成されたものであり、簡素な構成でありながら、コリメートレンズの調整を精度良く容易に行える光ピックアップ装置を提供することを目的とする。
【課題を解決するための手段】
【００１２】
請求の範囲１に記載の光ピックアップ装置は、光源と、前記光源からの出射光を反射させる立上げミラーと、対物光学素子を含む集光光学系からなる光ピックアップ装置であって、
前記立上げミラーと前記対物光学素子との間に配置されたコリメートレンズを含む光学素子ユニットと、
少なくとも組付時に、前記光学素子ユニットを前記コリメートレンズの光軸方向に所定範囲内で移動可能にガイドするガイド部を備えたハウジングと、を有し、
前記光学素子ユニットは、前記所定範囲内の所定位置で前記ハウジングに固着されていることを特徴とする。【００１３】
本発明によれば、前記ハウジングのガイド部が、少なくとも組付時に、前記光源の発光点位置と、前記コリメートレンズの光軸直交方向位置との関係を維持しつつ、前記光学素子ユニットを前記コリメートレンズの光軸方向に所定範囲内で移動可能にガイドするようになっているので、前記ガイド部にガイドされつつ前記光学素子ユニットを前記所定範囲内で移動させ、最も球面収差の少ない位置で固着すれば、個々の光ピックアップ装置について、ばらつきが少なく良好な記録／再生性能を実現できる。【００１４】
請求の範囲２に記載の光ピックアップ装置は、請求の範囲１に記載の発明において、前記光学素子ユニットは、前記コリメートレンズを保持するホルダを含むことを特徴とする。但し、前記前記光学素子ユニットは、前記コリメートレンズのみから形成されていても良い。【００１５】
請求の範囲３に記載の光ピックアップ装置は、請求の範囲１又は２に記載の発明において、前記ハウジングは、前記光学素子ユニットの移動範囲の光源から光が入射する側の末端で前記光学素子ユニットに当接する当接部を有することを特徴とする。例えば、対物レンズによる集光スポットのコマ調整などは、必ずしも球面収差をベストな状態に抑えなくても可能である。そこで、前記ガイド部により前記光学素子ユニットをガイドしつつ前記当接部に当接させれば、特別な前記光学素子の保持機構が必要なく、対物光学素子のチルトによるコマ収差の補正を行うことができる。【００１６】
請求の範囲４に記載の光ピックアップ装置は、請求の範囲３に記載の発明において、前記当接部は環状であることを特徴とする。【００１７】
請求の範囲５に記載の光ピックアップ装置は、請求の範囲３に記載の発明において、前記当接部は突起であることを特徴とする。【００１８】
請求の範囲６に記載の光ピックアップ装置は、請求の範囲１〜５のいずれかに記載の発明において、前記ガイド部により前記対物光学素子ユニットがガイドされた状態で、前記ハウジングに対し、前記コリメートレンズの光軸直交方向の位置決めがなされることを特徴とする。【００１９】
請求の範囲７に記載の光ピックアップ装置は、請求の範囲１〜６のいずれかに記載の発明において、前記コリメートレンズを前記所定範囲の末端から前記所定位置まで移動させたとき、前記対物レンズにより光ディスクの情報記録面に形成される集光スポットの３次球面収差成分の変化量は、０．０２〜０．０７λrmsであることを特徴とするので、例えば前記コリメートレンズが前記末端の位置でもコマ収差調整が可能であり、且つ光ピックアップ装置の球面収差を補正するための補正量を有しており、個々の光ピックアップ装置を良好な性能に調整することができる。【００２０】
請求の範囲８に記載の光ピックアップ装置は、請求の範囲１〜７のいずれかに記載の発明において、前記ガイド部は円筒面を含むことを特徴とするので、前記光学素子ユニットを円筒形状とすることで、前記ガイド部の円筒面と嵌合させて、その軸線方向に案内することができる。
【発明の効果】
【００２１】
本発明によれば、コンパクトでありながらも、簡素な構成でありながら、コリメートレンズの調整を精度良く容易に行える光ピックアップ装置を提供することができる。
【図面の簡単な説明】
【００２２】
【図１】本実施の形態にかかる光ピックアップ装置を概略的に示す断面図である。
【図２】図１の構成をII-II線を含む面で切断して矢印方向に見た断面図である。
【図３】図１の光ピックアップ装置のコリメートレンズ周辺を示す図である。
【図４】ハウジングの一部を示す斜視図である。
【図５】図１の光ピックアップ装置のコリメートレンズ周辺を示す図であり、コマ調整時の状態を示す。
【図６】コリメートレンズの位置と３次球面収差成分の変化量との関係を示すグラフである。
【図７】変形例にかかるハウジングの上面図である。
【図８】変形例にかかるコリメートレンズを示す図３と同様な断面図である。
【符号の説明】
【００２３】
１  ハウジング
１ａ  開口
１ｂ  環状部
１ｂ’  凸部
２  ホルダ
３、３’  コリメートレンズ
３ａ  レンズ部
３ｂ  中空円筒部
４  立ち上げミラー
５  半導体レーザ
６  青紫色用偏光ビームスプリッタ
７  パワーモニタ
９  λ／４波長板
１０  対物レンズ
１１  偏光ビームスプリッタ
１２  サーボレンズ
１３  光検出器
１４  アクチュエータ
１５  ２レーザ１パッケージ
１６  カップリングレンズ
【発明を実施するための最良の形態】
【００２４】
以下、図面を参照して、本発明の実施の形態をさらに詳細に説明する。図１は、本実施の形態にかかる光ピックアップ装置を概略的に示す断面図である。図２は、図１の構成をII-II線を含む面で切断して矢印方向に見た断面図である。図３は、図１の光ピックアップ装置のコリメートレンズ周辺を示す図である。図４は、ハウジングの一部を示す斜視図である。本実施の形態の光ピックアップ装置は、ＨＤ  ＤＶＤ、ＤＶＤ、ＣＤの３種類の光ディスクに対して情報の再生を行えるようになっているが、トラッキング用の光束を生成する回折格子等を追加することにより、情報の記録も行うことが可能である。更に、少なくともその内の１種類の光ディスクに対して情報の記録／再生を行うことができれば足りる。【００２５】
図３において、ハウジング１の上面には、円筒状の内周面を有する開口１ａが形成されており、開口１ａの下端内周には、半径方向に突出した環状部１ｂが形成されている（図４参照）。環状部１ｂが当接部を構成する。ガイド部を構成する開口１ａ内には、コリメートレンズ３を保持した円筒状のホルダ２がガタなく嵌合し、不図示の接着剤により、開口１ａに対して固着されている。開口１ａの下方には、立ち上げミラー４が配置されている。ここでは、コリメートレンズ３とホルダ２により光学素子ユニットを構成する。【００２６】
次に、本実施の形態にかかる光ピックアップ装置の動作について説明する。図２において、ＨＤ  ＤＶＤから情報の再生を行う場合、光源である第１半導体レーザ５を発光させると、そこから出射された波長４０５ｎｍ前後のレーザ光束は、青紫色用偏光ビームスプリッタ６で反射され、更に立ち上げミラー４で反射されるが、一部は立ち上げミラー４を通過してパワーモニタ７で検出される。立ち上げミラー４で反射された光束は、コリメートレンズ３，λ／４波長板９を通過し、対物レンズ（対物光学素子ともいう）１０を介して、ＨＤ  ＤＶＤの情報記録面に集光される。【００２７】
ＨＤ  ＤＶＤの情報記録面から反射した光束は、対物レンズ１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＨＤ  ＤＶＤから情報の再生を行うことができる。【００２８】
ここで、光検出器１３上での光スポットの形状変化、強度分布変化を検出して、合焦検出やトラック検出を行う。この検出に基づいて、第１半導体レーザ５からの光束をＨＤ  ＤＶＤの情報記録面上に結像するように、アクチュエータ１４により、対物レンズ１０をボビンと一体で、フォーカシング、トラッキング駆動できるようになっている。【００２９】
ＤＶＤから情報の再生を行う場合、２レーザ１パッケージ１５内の第２半導体レーザを発光させると、そこから出射された波長６６０ｎｍ前後のレーザ光束は、ＣＤ用回折格子１６を通過し、偏光ビームスプリッタ１１で反射され、青紫色用偏光ビームスプリッタ６を通過し、更に立ち上げミラー４で反射されるが、一部は立ち上げミラー４を通過してパワーモニタ７で検出される。立ち上げミラー４で反射された光束は、コリメートレンズ３，λ／４波長板９を通過し、対物レンズ１０を介して、ＤＶＤの情報記録面に集光される。【００３０】
ＤＶＤの情報記録面から反射した光束は、対物レンズ１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＤＶＤから情報の再生を行うことができる。【００３１】
ここで、光検出器１３上での光スポットの形状変化、強度分布変化を検出して、合焦検出やトラック検出を行う。この検出に基づいて、第２半導体レーザからの光束をＤＶＤの情報記録面上に結像するように、アクチュエータ１４により、対物レンズ１０をボビンと一体で、フォーカシング、トラッキング駆動できるようになっている。【００３２】
ＣＤから情報の再生を行う場合、２レーザ１パッケージ１５内の第３半導体レーザを発光させると、そこから出射された波長７８５ｎｍ前後のレーザ光束は、ＣＤ用回折格子１６に入射して、トラッキング信号用の±１次回折光を生成する。かかるレーザ光束は、偏光ビームスプリッタ１１で反射され、青紫色用偏光ビームスプリッタ６を通過し、更に立ち上げミラー４で反射されるが、一部は立ち上げミラー４を通過してパワーモニタ７で検出される。立ち上げミラー４で反射された光束は、コリメートレンズ３，λ／４波長板９を通過し、対物レンズ１０を介して、ＣＤの情報記録面に集光される。【００３３】
ＣＤの情報記録面から反射した光束は、対物レンズ１０，λ／４波長板９、コリメートレンズ３を通過し、立ち上げミラー４で反射され、青紫色用偏光ビームスプリッタ６、偏光ビームスプリッタ１１を通過し、サーボレンズ１２を介して、光検出器１３に入射するので、その出力信号を用いて、ＣＤから情報の再生を行うことができる。【００３４】
ここで、光検出器１３上での光スポットの形状変化、強度分布変化を検出して、合焦検出やトラック検出を行う。この検出に基づいて、第３半導体レーザからの光束をＣＤの情報記録面上に結像するように、アクチュエータ１４により、対物レンズ１０をボビンと一体で、フォーカシング、トラッキング駆動できるようになっている。【００３５】
次に、本実施の形態にかかる光ピックアップ装置における組立時の調整について述べる。まず、立上げミラー４、青紫色用偏光ビームスプリッタ６等の固定光学素子をハウジング１に接着固定し、第１半導体レーザ５，２レーザ１パッケージ１５，コリメートレンズ３、光検出器１３等を仮組みする。ここで、コリメートレンズ３を保持したホルダ２を、ハウジング１の開口１ａに嵌合させると、コリメートレンズ３と一体でホルダ２は自重により下降し、図５に示すように、その下端面を環状部１ｂに当接させた状態で静止する。尚、ホルダ２は、固着される前の状態で、環状部１ｂに当接した状態を起点とし、上方に向かって開口１aにガイドされつつ移動可能となっている。【００３６】
次に、第１半導体レーザ５を発光させ、コリメートレンズ３の出射光束が所望の傾き範囲内に収まるように、第１半導体レーザ５の光軸直交方向位置を調整する。その後、対物レンズ１０が装着されたアクチュエータ１４をハウジング１に取り付け、対物レンズ１０により形成される集光スポットを所定のカバーガラス（不図示）を介して拡大光学系により観察し、集光スポットのコマ収差を抑制するように、アクチュエータ１４の傾きを調整する。本実施の形態によれば、コマ調整はホルダ２を開口１ａ内に挿入するだけで良く、自重で環状部１ｂに安定して押し付けられるので、付勢ばねなど特別な機構や治具は不要であり、組立工程の簡略化を図れる。【００３７】
次に、調整用の光ディスクを対物レンズ１０に対向させ、第１半導体レーザ５を発光させると、上述した光路を辿り、光ディスクからの反射光は光検出器１３に入射し、サーボ信号、再生信号が検出される。ここで、ホルダ２の下方からピン（不図示）などを用いてホルダ２を突き上げて、サーボ信号や再生信号が最良になるように、コリメートレンズ３の光軸方向の位置を調整する。このとき、ホルダ２は、開口１aの内周にガイドされながら移動するため、コリメートレンズ３の光軸と、第１半導体レーザ５の発光点との光軸直交方向の位置関係が維持されるので、先に調整したコマ収差は最適に抑制されたままとなる。【００３８】
図６は、コリメートレンズの位置と、対物レンズによる集光スポットの３次球面収差成分の変化量との関係を示すグラフである。ここで、コリメートレンズの設計上の基準位置をコリメートレンズ移動量０（ゼロ）とし、コリメートレンズを入射光束側（光源側）に動かしたときの移動量を負としている。また、３次球面収差成分の変化量は、光スポットの３次球面収差成分の符号が正負どちらの場合でも、変化の大きさとして正符号としている。例えばコリメートレンズを光源側に動かすと集光スポットの３次球面収差成分は負の値の方向に変化するが、その場合も変化量としては正の値で表すものとする。【００３９】
ここで、コリメートレンズを設計基準位置に配置したとき、各光学素子の製造誤差等により対物レンズによる集光スポットに±０．０３λrms程度の３次球面収差が見込まれる。【００４０】
また、コリメートレンズが設計基準位置から約１mm自重で下がった位置で保持されるように環状部１bを設ければ、自重による移動量（約１mm）で生じる球面収差変化量は０．０４λrmsとなる（図６参照）。従って、前述のコマ調整時の集光スポットの３次球面収差の大きさは、最大でも製造誤差による０．０３λrms程度の球面収差と自重による移動量で生じる０．０４λrmsとを合わせた０．０７λrms程度となるので、コリメートレンズを自重だけで保持しつつ、十分にコマ調整を行うことが可能であり、且つ前述のように最終的に集光スポットの３次球面収差を抑制することができる。【００４１】
コリメートレンズの移動量としては、コマ調整時の集光スポットの品質と、使用する各光学素子が有する球面収差の大きさなどを考慮して、最終的にコリメートレンズを固着する位置と、自重保持する位置との間における３次球面収差成分の変化量が０．０２〜０．０７λrmsとなる範囲に設定するのが望ましい。かかる状態では、通常ホルダ２と環状部１bとの間には、隙間Δが存在する（図３参照）。【００４２】
図７は、変形例にかかるハウジングの上面図である。変形例にかかるハウジング１’は、開口１ａの下端内周において、半径方向に突き出した３カ所の凸部（突起）１ｂ’を形成しており、ここにホルダ２を当接させるようになっている。即ち、凸部１ｂ’が当接部を構成する。このように周方向に不連続な凸部１ｂ’を設けることで、凸部１ｂ’の間から、コリメートレンズ３の調整時にホルダ２を押圧するピン等を突き出しやすくなる。【００４３】
図８は、変形例にかかるコリメートレンズを示す図３と同様な断面図である。樹脂製のコリメートレンズ３’は、レンズ部３ａと、レンズ部３ａの周囲に形成された中空円筒部３ｂとを有する。中空円筒部３ｂの外周面を、開口１ａの内周面に嵌合させ接着剤により直接固着するようになっており、またコマ調整時には、中空円筒部３ｂの下端を環状部１ｂに当接させるようになっている。本変形例では、コリメートレンズ３’のみにより光学素子ユニットを構成する。【００４４】
以上、本発明を実施の形態を参照して説明してきたが、本発明は上記実施の形態に限定して解釈されるべきではなく、適宜変更・改良が可能であることはもちろんである。
【図６】
2009011203.tif 000003
【図１】
2009011203.tif 000004
【図２】
2009011203.tif 000005
【図３】
2009011203.tif 000006
【図４】
2009011203.tif 000007
【図５】
2009011203.tif 000008
【図７】
2009011203.tif 000009
【図８】
2009011203.tif 000010
【国際調査報告】
2009011203.tif 000011
2009011203.tif 000012
2009011203.tif 000013
2009011203.tif 000014